(57)【要約】【課題】バックプレーンに供給する外部電源の数を減らし、簡単な構成で従来と同等の電源を供給することができ、かつ汎用性の高いバックプレーンを提供する。【解決手段】本発明によるバックプレーンは、オンボード電源の実装領域（（１、２、・・（ｍ−１））と、オンボード電源実装のための端子部（１ａ、１ｂ等）を設け、第１の電源供給端子７１とオンボード電源入力側端子部１ａとを接続する配線と、第２の外部電源からの電源供給を受ける第２の電源供給端子７２から各コネクタへ電源を供給する配線を有し、第２の電源供給端子に接続される各コネクタの電源端子と、前記オンボード電源出力側端子部とを接続する配線とを有することにより、主電源以外の第２電源の電源電圧をオンボード電源からでも、外部電源からでも供給可能とするものである。【選択図】図１
2011022854.tif 000002
【特許請求の範囲】
【請求項１】
複数の外部電源からそれぞれ電源供給を受ける複数の電源供給端子と、
機能ボードを接続可能な複数のコネクタと、
前記複数の電源供給端子から各コネクタの各外部電源に対応している電源端子へ電源を供給する配線と、を有するバックプレーンであって、
オンボード電源実装用のオンボード電源入力側端子部、オンボード電源出力側端子部、及び前記オンボード電源実装領域を有し、
第１の外部電源から電源供給を受ける第１の電源供給端子から前記各コネクタへ電源を供給する配線を入力側配線とするオンボード電源を実装する事が可能なバックプレーンであって、
前記第１の電源供給端子と前記オンボード電源入力側端子部とを接続する配線と、
第２の外部電源からの電源供給を受ける第２の電源供給端子から前記各コネクタへ電源を供給する配線と、
前記第２の電源供給端子に接続される前記各コネクタの電源端子と前記オンボード電源出力側端子部とを接続する配線と、
を有することを特徴とするバックプレーン。
【請求項２】
所定の仕様に基づき作製されたバックプレーンであり、前記所定の仕様に基づく範囲内において、オンボード電源の実装と非実装とを自由に選択する事が可能である、請求項１記載のバックプレーン。
【請求項３】
前記オンボード電源の実装が、機能ボードの実装を妨げることが無い事を特徴とする、請求項１または請求項２記載のバックプレーン。
【発明の詳細な説明】
【技術分野】
【０００１】
本発明は、コンピュータシステム等の各種電子機器のシステムを構成するバックボーンとして機能するバックプレーンに関する。
【背景技術】
【０００２】
従来、コンピュータシステムや制御機器においては、たとえば、ＣＰＵボード、通信ボード、Ａ／Ｄ変換ボードなどの各機能ボードと、その機能ボードを接続する為のバックプレーンが使用されている。機能ボードとは、ＬＳＩ等の各種半導体が実装されており、また、抵抗、コンデンサ、インダクタなど多くの部品と共に、ある種の目的とする機能を発揮する様に設計されている回路基板を言う。
【０００３】
バックプレーンとは、一般に、受動部品のみで構成されるものであり、各機能ボードの接続用のコネクタや電源供給などのコネクタ・端子台などが用意されている。通常、バックプレーンは、システムの各機能ボードが機能ＵＰや変更による改版がなされても変更された機能ボードを交換することで、システム全体の機能をＵＰさせても物理的な構成をそのまま維持することが可能である。最近では、各機能ボードを各社が共通化した仕様のもとで開発することで、開発投資の分散や、システム選択の自由度を上げる為に、標準化、規格化した仕様のバックプレーンのニーズが広がっている。
【０００４】
各機能ボードでは、＋５Ｖ，＋３．３Ｖ，＋２．５Ｖ・・・・など、各回路や各種半導体で使用する電源が必要である。これらの各種電源は、バックプレーンに接続されており、接続用コネクタを介して、各機能ボードに供給されている。標準化、規格化されたバックプレーンでは、決められた複数の電源電圧の使用が定義されており、ユーザは、すべての規格化された電源を使用する必要はなく、システムで要求されている電源を供給してシステムを構成している。
【０００５】
従来構成によるバックプレーンのブロック図を図５に示す。従来では、外部に必要な電圧を生成する各電源を用意し、その電源をバックプレーンに供給することにより、各電圧（電源）を各スロットの嵌合コネクタを介して各機能ボードに供給するものである。図中２００はバックプレーンであり、機能ボードを搭載する嵌合コネクタ１０，２０，・・５０などを備えている。そして、バックプレーン２００には、外部電源３１０、３２０、３３０、３ｍ０などから端子台又はコネクタである７０を介して電源電圧の供給を受けている。なお、ｍは４以上の整数である。従ってｍが５とすれば、外部電源は３５０となる。また、３００は電源ブロックであり、複数の出力電圧を有する一つ、または少数の電源でこのブロックを構成することもできる。
【０００６】
例えば、外部電源３１０からバックプレーン上の電源供給端子７１を介して電源供給を受け、配線Ｌ１を介して、それぞれのコネクタの電源端子１１、２１、５１へ電源電圧が供給され、最終的に各機能ボードへ供給されている。さらに、電源３２０からの電源電圧が電源供給端子７２、配線Ｌ２を介してそれぞれのコネクタの電源端子１２、２２、５２へ供給され、最終的に各機能ボードへ供給されているというように、それぞれの外部電源からの電源電圧が供給される。また、図４は、図示を簡単すべく、各電源から一つの線で示しているが、これらの一つの線には、正、負の往復の配線が省略されている。なお、負の配線は、同一の電位であれば、全体をまとめて一つにしても良いのもいうまでもないことである。
【０００７】
一方、特許文献１では、主となるシステム回路と副となるシステム回路が存在する様な場合に、副となるシステムの電源供給をＯＮ／ＯＦＦする制御回路を実装し、その制御回路を主となるシステムで制御することにより、副となるシステムの電源供給を制御する方法が述べられている。
【先行技術文献】
【特許文献】
【０００８】
【特許文献１】特開平１１−３３８５８３号公報
【発明の概要】
【発明が解決しようとする課題】
【０００９】
従来からのシステムでは、このように、外部に＋５Ｖ，＋３．３Ｖ，＋２．５Ｖ・・・・などの多くの電源を用意し、その電源をバックプレーンに供給したシステムを用意する必要がある。その為に、電源に対して、多大な投資を行う必要があった。
【００１０】
一方、最近では、機能ボードでの使用電圧が半導体による低電圧化の流れの中で、多種・多様な電源電圧を必要としており、外部からそれぞれの電源を供給することは、消費電流による電圧低下による電源仕様の逸脱や、電源種類の増加をまねき、非常に効率の悪いものとなる。そのことから、どちらかと言うと、少ない電源種類の供給のみ行い、機能ボードで必要な各部の電圧は、各部のすぐ近くで生成使用する（ポイント−オブ−ロード）の考え方が主流となってきた。
【００１１】
この、ポイント−オブ−ロードの考え方は、主となる電源を供給し、機能ボードの回路で必要な電圧は、必要な場所で小さく生成させようとするものであり、その為の半導体や小型電源が数多く発売されており、機能ボードへ供給する電圧の種類は少なくて良くなってきている。
【００１２】
しかし、実際のシステムとしては、一種類の電源のみでは不十分であり、わずかの消費電力を伴う電源をも必要とするものである。電源の種類が複数である場合、バックプレーンに供給する電源は、形態的に複数構成となり、実装場所の確保や配線の引き回し、接続があいかわらず多くなってしまう。
【００１３】
一方、特許文献１では、前述のように、主となるシステム回路と副となるシステム回路が存在する様な場合に、副となるシステムの電源供給をＯＮ／ＯＦＦする制御回路を実装し、その制御回路を主となるシステムで制御することにより、副となるシステムの電源供給を制御する方法が述べられているが、この様な、ＯＮ／ＯＦＦするスイッチ回路を実装しても、もともとの供給する電源は、その電源の種類だけ必要となり、何ら、電源の削減に寄与するものでは無い。
【００１４】
また、特許文献１の様なスイッチ回路により電源供給をＯＮ／ＯＦＦすることは、電源電圧が低い現在のシステム構成では、逆に、スイッチ部による電圧降下をまねいてしまい、使用するに十分な電源とならない可能性がある。また、特許文献１の様にする場合、スイッチを制御する信号の配線が必要であり、また、制御する手段と方法を提供するシステム部が必要となり、主システム回路と併設されていないかぎり、有効とはいえない。
【００１５】
少ない電流であれば、１種類の電源から小型の電源を使用して生成し、この少ない電流であれば、もともとの１種類の電源に要求される電力はわずかであり、１種類の電源がより大きな電源へと高価になっていくことも無い。
【００１６】
（発明が解決しようとする課題のまとめ）
本発明は、以上のような検討を元に、バックプレーンに供給する外部電源の数を減らし、簡単な構成で従来と同等の電源を供給することができ、かつ汎用性の高いバックプレーンを提供することを課題とする。
【課題を解決するための手段】
【００１７】
本発明のバックプレーンは、複数の外部電源からそれぞれ電源供給を受ける複数の電源供給端子と、機能ボードを接続可能なコネクタと、前記複数の電源供給端子から、前記各コネクタの各電源に対応している電源端子へ電源を供給する配線を有するバックプレーンであって、オンボード電源実装用のオンボード電源入力側端子部、オンボード電源出力側端子部、及び前記オンボード電源実装領域を有し、第１の外部電源から電源供給を受ける第１の電源供給端子から前記各コネクタへ電源を供給する配線を入力側配線とするオンボード電源を実装する事が可能なバックプレーンであって、前記第１の電源供給端子と前記オンボード電源入力側端子部とを接続する配線と、第２の外部電源からの電源供給を受ける第２の電源供給端子から前記各コネクタへ電源を供給する配線を有し、前記第２の電源供給端子に接続される前記各コネクタの電源端子と、前記オンボード電源出力側端子部とを接続する配線とを有する。
【００１８】
また、所定の仕様に基づき作製されたバックプレーンであり、前記所定の仕様に基づく範囲内において、オンボード電源の実装と非実装とを自由に選択する事が可能であるように構成することも好ましい。
【００１９】
更に、上記いずれの場合のバックプレーンであっても、前記オンボード電源の実装が、機能ボードの実装を妨げることが無いように構成することが好ましい。
【発明の効果】
【００２０】
本発明は、オンボード電源実装可能なバークプレーンとしたので、汎用性が高まり、設計変更などを行わなくても幅広い用途に使用可能になるという効果を有する。また、オンボード電源搭載時には、一つの出力電圧を備える単一の外部電源で複数の電源電圧に対応することも可能であり、ユーザの使用上のメリットが高まる。
【００２１】
さらに、所定の仕様に基づき作製されたバックプレーンであり、前記所定の仕様に基づく範囲内において、オンボード電源の実装と非実装とを自由に選択する事が可能であるように構成すれば、標準化への対応もより容易になるという更なる効果を有する。
【００２２】
さらに、上記いずれの場合のバックプレーンであっても、前記オンボード電源の実装が、機能ボードの実装を妨げることが無いように構成することにより、汎用性増大や標準化対応を担保することができる。
【図面の簡単な説明】
【００２３】
【図１】本発明の第１実施形態によるバックプレーンのオンボード電源搭載前のブロック図である。
【図２】オンボード電源の搭載部近傍のランド拡大図である。
【図３】本発明の第１実施形態によるバックプレーンに外部電源を接続し、オンボード電源を搭載した際のブロック図である（一部配線の記載を割愛）。
【図４】本発明の第１実施形態のバックプレーンを使用するシステムの構成例の要部模式図である。
【図５】従来のバックプレーンに複数の外部電源を接続した際のブロック図である。
【発明を実施するための形態】
【００２４】
以下に、本発明に関する実施形態について本発明のバックプレーンの基本的な技術思想、実施形態からバックプレーンを使用するシステム、及びその実施例までを説明する。
【００２５】
（本発明の要旨）
本発明を要説すれば、本発明によるバックプレーンは、従来のバックプレーンに対し、オンボード電源の実装領域と、オンボード電源実装のための端子部を設け、主電源以外の第２以降の電源電圧をオンボード電源からでも、外部電源からでも供給可能とするものである。
【００２６】
（第１の実施形態のバックプレーン：オンボード電源実装前）
図１に示す第１実施形態によるバックプレーン１００のオンボード電源搭載前のブロック図を参照して本発明の技術思想を含めて説明する。
【００２７】
図１において１００はバックプレーンである。バックプレーン１００が、図５の従来のバックプレーン２００と大きく異なるのは以下の３点である。第一に、複数のオンボード電源搭載部１、２、・・（ｍ−１）を有していることである。なお、ここで、ｍは２以上の任意の整数であり、（ｍ−１）はバックプレーンがオンボード電源にて電源供給可能な電源配線の数、すなわち、オンボード電源にて供給可能な電源電圧の種類の数である。また、電源配線は実際には、正、負の往復配線であるが、従来技術でも説明したように、負の配線（アース配線をも兼ねる）はその記載を割愛しているので、正の電圧の配線のみを記載している。図１ではｍ＝４の例で示してある。
【００２８】
第二に、バックプレーン搭載用オンボード電源の入力側端子部１ａ、２ａ、（ｍ−１）ａと主外部電源からの電源供給端子７１とが接続されていることである。具体的には、１ａが配線８１に、２ａが配線８２に（ｍ−１）ａが配線８（ｍ−１）に接続され、それぞれの配線は、Ｌ１と接続されている。
【００２９】
第３に、バックプレーン搭載用オンボード電源の出力側端子部１ｂと、第２の外部電源の供給端子７２から電源電圧が供給されるコネクタ１１の電源端子１２とが電気的に接続されている。同様に、２ｂ、７３と１３とが電気的に接続されている。また、（ｍ−１）ｂと、７（ｍ−１）と、１ｍとが接続している。例えば、ｍを６とすれば、図示しない５ｂと電源供給端子の７５とコネクタの電源端子の１６とが接続されている。以上の３つの点が重要な特徴点である。
【００３０】
（オンボード電源搭載（実装）用のランド）
図２に本発明の第１の実施形態のオンボード電源の搭載部近傍のランド拡大図を示す。図中、１は、オンボード電源の搭載スペース、即ち、オンボード電源の実装領域である。ａ１、ａ２は、オンボード電源の入力側のランドである。ａ１は、配線８１、即ち、図１に示すＬ１に、換言すれば、第１の外部電源の電圧供給端子に接続している配線８１に接続している。また、ａ２は、負側の配線１０１に接続している。なお、配線１０１は前述のように、図１には図示されていない。
【００３１】
さらに、これらの入力側のライン間には、コンデンサ搭載用の端子ｄ１，ｄ２とコンデンサ搭載スペースｄとを有している。
【００３２】
一方、出力側には、オンボード電源の出力側のランドｂ１、ｂ２を有する。ｂ１は配線９１に接続されている。この配線９１は、図１で明瞭なように、第２の外部電源の電圧供給端子７２と、コネクタ１０の第２の電圧端子１２、コネクタ２０の第２の電圧端子２２等に接続している。また、ｂ２は、配線１０１に接続されている。そして、配線９１と１０１は、それぞれ、コンデンサ搭載可能な端子、ｅ１と、ｅ２とを有し、さらに、コンデンサ搭載スペースｅも有する。なお、端子ｃは、オンボード電源のシールドケース用の端子であり、配線１０１に接続している。
【００３３】
（オンボード電源の実装例のブロック図）
図３は、第１の実施形態のバックプレーンにオンボード電源２個を実装した場合のブロック図である。ここで、オンボード電源６１，６２は、それぞれ１出力の公知のオンボード電源であり、最も簡単な構成を有するオンボード電源である。いずれも、外部電源３１０から、電源供給端子７１を介して受けた直流電源電圧をＤＣ−ＤＣ変換するタイプのオンボード電源であり、６１と６２の出力電圧は異なる直流出力電圧である。
【００３４】
なお、図３は、説明を容易にするため、図１に示す配線Ｌ２と第２の電源電圧供給端子とを接続する配線、同様にＬ３と第３の電源電圧供給端子とを接続する配線などの図示は省略している。
【００３５】
（第１実施形態のバックプレーンを使用するシステムの構成例の要部模式図）
図４に第１実施形態のバックプレーンを使用するシステムの構成例の要部模式図を示す。この図では、図示を容易にするため、オンボード電源６１を１個搭載した図を示している。なお、図４ではオンボード電源６１の搭載側は、コネクタ１０、２０、・・５０の搭載側と同じ側であるが、一般的には、機能ボード４１０などの搭載を容易にすべく、反対側の面にオンボード電源の実装領域を設けることが多い。図４は図示の容易さのため、コネクタと同一面側に実装した例を示したものである。
【００３６】
図中、４００は機能ボードであり、回路基板４１０上に搭載されたコネクタ４２０を介してバックプレーン１００上のコネクタ１０と接続している。また、機能ボード４００には、ＬＳＩ４４０等の各種電子部品が搭載されている。
【００３７】
さらに、バックプレーン１００には、外部電源３１０から電源電圧の供給を受け、端子７１ａ、７１ｂからなる電源供給端子７１（図４には符号７１は図示せず）を介してバックプレーン１００の図示しない配線を介し、コネクタ１０、２０，５０の図示しない電源端子に外部電源３１０、及びオンボード電源６１からの電源電圧が供給され、最終的に各機能ボードへ供給されている。また、第２の外部電源からの電源供給をも可能にすべく、端子台７２ａ、７２ｂなども有している。さらに、別の外部電源からの電源供給も可能にすべく、図示しない端子７ｍａや、端子７ｍｂも有する。なお、ここで、７１ｂ、７２ｂ、７ｍｂの各端子は個々の端子台であっても、又は、一つに統合した端子台又はコネクタであっても良い。
【００３８】
オンボード電源６１は、ＤＣ−ＤＣコンバータなどから構成されている。オンボード電源６１は、図示しない配線を介して外部電源３１０から供給を受けた電源と異なる電圧の直流電圧を出力し、前述のように、各コネクタの電源端子を介して各機能ボードへ電圧を供給している。従って、少なくとも２種類の直流電圧が各機能ボードへ供給される構成となっている。
【００３９】
以上図３、図４で述べたように、本発明の一実施形態では、１つの主たる電源のみ外部に用意し、他の小電力の電源については、バックプレーン上にオンボード電源（ＤＣ−ＤＣコンバータ等）を実装することにより、１つの主たる電源から電源をバックプレーンに供給すると、自動的に、オンボード電源により、各スロットの機能ボードへ嵌合コネクタを介して電源が供給される様にするものである。なお、主電源３１０は、電力が供給されることを前提としており、電源供給端子７１（端子７１ａ、７１ｂ）へ供給される。（２つの配線があるのは、電源は＋と−（行きと帰り）があるからである。）
【００４０】
（標準化規格にて使用する構成例とその動作例）
第４図の模式図は、PICMG  EXP．０（CPCI  Expressと呼ばれている）で規格化されている構成にも使用可能である。なお、模式図でもあるので、コネクタの数や配置、オンボード電源の配置位置などは実際の規格対応製品と異なる。PICMG  EXP．０（CPCI  Expressと呼ばれている）で規格化されている構成の中で、特に＋１２Ｖの電源を主とするシステム構成の場合、図４のようなシステム構成が可能となる。外部電源３１０(主電源)の電源電圧を１２Ｖに設定し、従たる電源は、＋５Ｖ予備電源などで消費電力が小さいものをバックプレーン上に用意する構成となる。つまり、図４に示すオンボード電源６１を１２Ｖの直流入力電圧に対して５Ｖに直流出力電圧を発生するようなオンボード電源を実装する。
【００４１】
これにより、外部電源をオンにすれば、コネクタ１０等の図示しない電源端子の一方には１２Ｖが、他方には５Ｖがそれぞれ供給され、本発明のバックプレーンを使用するに最適な規格に適合した構成を作ることができる。なお、オンボード電源６１は公知の手段により動作するものであり、１２Ｖの直流電圧が供給されれば、常に５Ｖの出力電圧が供給されるように動作するものであるので簡単な回路構成となっている。
【００４２】
バックプレーン１００上のコネクタ１０等には、他にPICMG  EXP．０（CPCI  Expressと呼ばれている）で規格化されている構成に対応すべく、図示しない、種々の端子を有しているが、これらの詳細を説明することは本発明の説明趣旨と異なるのでそれらの詳細の説明は割愛する。
【００４３】
（種々の変形例および本発明の効果に関する補足説明）
以上、本発明の１実施形態を中心にその詳細ならびに１規格に対応する使用例などについて述べてきたが、本発明は今までに述べたことにとらわれず、その技術思想の範囲内で変形等が可能なことはいうまでもない。
【００４４】
たとえば、オンボード電源の実装可能数は前述のように最低１つから複数が可能なように実装領域などを確保しておくことができる。また、実装するオンボード電源は、それぞれ、１出力のものを示したが、１つのオンボード電源で複数の出力、つまり、複数の種類の出力電圧を得ることが可能なオンボード電源を実装することもできる。この場合は、当然に出力端子のランド数やオンボード電源出力側からの配線が図１、図２等とは異なってくるのは言うまでもないことである。なお、出力端子のランド形状やそれに繋がる配線の形状の詳細は当業者には図示するまでもなく容易に理解されると考えるので記載を割愛する。
【００４５】
この様に１種類の電源のみ外部に用意し、バックプレーンにその電源を供給する様にし、他の小電力のみ必要とする電源は、バックプレーン上にオンボード電源（ＤＣ−ＤＣコンバータ等）を実装することにより、バックプレーンと１つの電源の構成部材によりシステムの実装形態を作成することが可能となる。バックプレーンに実装される電源は、小型であり、バックプレーンの形状を変えてしまう様なことは無く、配線や接続が単純化される利点がある。
【００４６】
このように、本発明では、バックプレーンへ１種類の電源を供給するシステムで、各機能ボードへは、何のＯＮ／ＯＦＦ制御を追加するでも無く、自動生成された小電力の電源をあわせて供給することが可能なシステムを提供することができるので、ユーザの利便性が高まる。
【００４７】
特に、最近のシステムでは、＋１２Ｖ主電源、または、＋２４Ｖ主電源、または、−４８Ｖ主電源のシステムであり、それ以外に、Ｉ／Ｆの電位を定義する電圧や、ウエイク−アップ機能の様に、待機時には主電源を使用せず、予備の電源のみ供給・使用するシステムになってきており、これらの電源は、主電源とは異なり微少な電流のみ必要とするものであり、それこそ、本システムのバックプレーンの様にしたバックプレーンが有効となる。
【００４８】
バックプレーンは、共通性を確保した特定の規格で仕様化されるのが通常であり、やはり、多種の電源の割り当てが定義されている。この様な、特定の規格に対応するバックプレーンを提案するのでは無く、本発明では実使用においての主電源と副電源を使用するシステムに対し、１種類のバックプレーンで効率的な電源供給を行う場合の自由度、汎用性の高いバックプレーンの提案に関するものであり、以上述べたような変形例をも考慮すれば、その汎用性、実用性は大変高いものである。
【００４９】
なお、念のため補足すれば、図１から図４では、バックプレーン上に搭載しているコネクタの数は５個であるが、この数を増減することは自由である。また、コネクタの一部の端子を電源端子としている例で実施形態を紹介してきたが、それぞれの機能ボードに電源電圧のみを供給する複数のコネクタと、信号を供給する複数のコネクタというようにコネクタを機能別に分けてもよいのも勿論である。この場合、請求項の記載でいうコネクタは、電源電圧を供給するコネクタとなるのは明瞭である。
【００５０】
また、実施形態の説明では、外部電源からの電源供給が可能な電源供給端子をｍ個（ｍは２以上の整数）設ける例を示したが、オンボード電源実装のための端子部を設け、主電源以外の第２以降の電源電圧をオンボード電源からでも、外部電源からでも供給可能とするという本発明の目的を達するには、最低２つの電源供給端子とそれらに接続する配線（実施例の図１等におけるＬ１、Ｌ２に相当する配線）があれば良いことは勿論である。
【符号の説明】
【００５１】
１、２、（ｍ−１）    オンボード電源搭載部
ｄ、ｅ    コンデンサ搭載部
１ａ、１ｂ、２ａ，２ｂ、（ｍ−１）ａ、（ｍ−１）ｂ、ｃ
オンボード電源搭載用のランド
ｄ１、ｄ２、ｅ１、ｅ２    コンデンサ搭載用のランド
１０、２０、５０、      コネクタ
１１、１２、１３、１ｍ、２１、２２、２３、２ｍ、５１、５２、５３、５ｍ
コネクタの電源端子
６１、６２  オンボード電源
７０    端子台またはコネクタ
７１、７２、７３、７ｍ    電源供給端子
７１ａ、７１ｂ、７２ａ，７２ｂ、７ｍｂ    端子
Ｌ１、Ｌ２、Ｌ３、Ｌ４    電源配線
８１、８２、８（ｍ−１）  オンボード電源搭載部への入力側電源配線
９１、９２，９（ｍ−１）  オンボード電源搭載部からの出力側電源配線
３００    外部電源ブロック
３１０、３２０、３３０、３ｍ０    外部電源
４００    機能ボード
４１０    回路基板
４２０    機能ボード上のコネクタ
４４０    ＬＳＩ
【図１】
2011022854.tif 000003
【図２】
2011022854.tif 000004
【図３】
2011022854.tif 000005
【図４】
2011022854.tif 000006
【図５】
2011022854.tif 000007